(57)【要約】【課題】伝送エンベロープ検出器のスレショルド電圧調節方法と該方法を利用した装置を提供する。【解決手段】伝送エンベロープ検出器（１１１，１３１）のスレショルド電圧調節方法が開示される。方法は、シリアル通信が始まった後、最初に入力された入力信号の電圧と伝送エンベロープ検出器（１１１，１３１）のスレショルド電圧とを比べて、入力信号の電圧がスレショルド電圧より高い場合、スレショルド電圧を増加させる。【選択図】図４
2008187717.tif 000002
【特許請求の範囲】
【請求項１】
伝送エンベロープ検出器におけるスレショルド電圧を制御する方法であって、
受信された第１入力信号の電圧と、前記スレショルド電圧としての第１スレショルド電圧とを比べる段階と、
前記第１入力信号の電圧が前記第１スレショルド電圧より高い場合、以降の前記スレショルド電圧を前記第１スレショルド電圧から第２スレショルド電圧に変更する段階と、を含むことを特徴とする伝送エンベロープ検出器のスレショルド電圧制御方法。
【請求項２】
前記伝送エンベロープ検出器のスレショルド電圧制御方法は、
前記伝送エンベロープ検出器に供給される電源が遮断された後、スレショルド電圧を前記第２スレショルド電圧から前記第１スレショルド電圧に復元する段階をさらに含むことを特徴とする請求項１に記載の伝送エンベロープ検出器のスレショルド電圧制御方法。
【請求項３】
前記伝送エンベロープ検出器のスレショルド電圧制御方法は、
前記伝送エンベロープ検出器に供給される電源が先に遮断された後、前記伝送エンベロープ検出器に前記電源が再び供給される時、スレショルド電圧を前記第２スレショルド電圧から前記第１スレショルド電圧に復元する段階をさらに含むことを特徴とする請求項１に記載の伝送エンベロープ検出器のスレショルド電圧制御方法。
【請求項４】
伝送エンベロープ検出器におけるスレショルド電圧を制御する方法であって、
受信された第１入力信号の電圧が、前記スレショルド電圧としての第１スレショルド電圧より大きい時、前記第１入力信号が有効信号であることを指示する第１指示信号を伝送エンベロープ検出器からコントローラに出力する段階と、
前記第１指示信号に基づいて前記コントローラにより生成した制御信号に応答して、以降のスレショルド電圧を前記第１スレショルド電圧から第２スレショルド電圧に前記伝送エンベロープ検出器を通じて変更する段階と、を含むことを特徴とする伝送エンベロープ検出器のスレショルド電圧制御方法。
【請求項５】
前記伝送エンベロープ検出器のスレショルド電圧制御方法は、
前記伝送エンベロープ検出器に供給される電源が遮断された後、スレショルド電圧を前記第２スレショルド電圧から前記第１スレショルド電圧に前記伝送エンベロープ検出器を通じて復元する段階をさらに含むことを特徴とする請求項４に記載の伝送エンベロープ検出器のスレショルド電圧制御方法。
【請求項６】
前記伝送エンベロープ検出器のスレショルド電圧制御方法は、
受信された第２入力信号の電圧が前記第２スレショルド電圧より低い時、前記第２入力信号がノイズであることを指示する第２指示信号が前記伝送エンベロープ検出器によって出力される段階をさらに含むことを特徴とする請求項４に記載の伝送エンベロープ検出器のスレショルド電圧制御方法。
【請求項７】
伝送エンベロープ検出器における差動スレショルド電圧を制御する方法であって、
通信チャンネルを通じて入力された一対の差動入力電圧の差が、一対の前記差動スレショルド電圧の差より大きい場合、指示信号が伝送エンベロープ検出器によって生成される段階と、
前記指示信号に応答して生成する制御信号に応答して、以降の一対の前記差動スレショルド電圧の差を前記伝送エンベロープ検出器によって増加させる段階と、を含むことを特徴とする伝送エンベロープ検出器のスレショルド電圧制御方法。
【請求項８】
前記通信チャンネルは、シリアル通信方式によって一対の前記差動入力電圧を伝送することを特徴とする請求項７に記載の伝送エンベロープ検出器のスレショルド電圧制御方法。
【請求項９】
伝送エンベロープ検出器においてスレショルド電圧を制御して通信の許可または遮断の制御をするシリアル通信での信号処理方法であって、
受信器によって受信された第１入力信号の電圧が、前記スレショルド電圧としての第１スレショルド電圧より高い場合、前記第１入力信号が有効信号であることを指示する第１指示信号を伝送エンベロープ検出器によって生成する段階と、
前記第１指示信号に基づいて生成する電圧制御信号に応答して、以降のスレショルド電圧を前記第１スレショルド電圧から第２スレショルド電圧に前記伝送エンベロープ検出器によって変更する段階と、
前記第１指示信号に基づいて生成するイネーブル制御信号に応答して、前記受信器の通信を許可する段階と、を含むことを特徴とするシリアル通信での信号処理方法。
【請求項１０】
前記シリアル通信での信号処理方法は、前記第１指示信号に応答して、前記電圧制御信号と前記イネーブル制御信号とを生成する段階をさらに含むことを特徴とする請求項９に記載のシリアル通信での信号処理方法。
【請求項１１】
前記シリアル通信での信号処理方法は、
受信された第２入力信号の電圧が前記第２スレショルド電圧より低い場合、前記第２入力信号がノイズであることを指示する第２指示信号を前記伝送エンベロープ検出器によって生成する段階と、
前記第２指示信号に基づいて生成するディセーブル制御信号に応答して、前記受信器の通信を遮断する段階と、をさらに含むことを特徴とする請求項９に記載のシリアル通信での信号処理方法。
【請求項１２】
前記シリアル通信での信号処理方法は、
前記第１指示信号に応答して前記電圧制御信号と前記イネーブル制御信号とを生成する段階と、
前記第２指示信号に応答して前記ディセーブル制御信号を生成する段階と、をさらに含むことを特徴とする請求項１１に記載のシリアル通信での信号処理方法。
【請求項１３】
前記シリアル通信での信号処理方法は、前記伝送エンベロープ検出器に供給される電源が遮断された後、スレショルド電圧を前記第２スレショルド電圧から前記第１スレショルド電圧に前記伝送エンベロープ検出器によって復元する段階をさらに含むことを特徴とする請求項９に記載のシリアル通信での信号処理方法。
【請求項１４】
前記シリアル通信での信号処理方法は、前記伝送エンベロープ検出器に供給される電源が遮断された後、前記伝送エンベロープ検出器に前記電源が再び供給される時、スレッショルド電圧を前記第２スレショルド電圧から前記第１スレショルド電圧に前記伝送エンベロープ検出器によって復元する段階をさらに含むことを特徴とする請求項９に記載のシリアル通信での信号処理方法。
【請求項１５】
伝送エンベロープ検出器においてスレショルド電圧を制御して通信の許可または遮断を制御する受信装置であって、
受信された第１入力信号の電圧が、スレショルド電圧としての第１スレショルド電圧より大きい場合、第１指示信号を生成する伝送エンベロープ検出器と、
前記第１入力信号を受信し、前記第１指示信号に応答することにより通信が許可される受信器と、を含み、
前記伝送エンベロープ検出器は、前記第１指示信号を生成した後、スレショルド電圧を前記第１スレショルド電圧から第２スレショルド電圧に変更することを特徴とする受信装置。
【請求項１６】
受信された第２入力信号の電圧が前記第２スレショルド電圧より低い場合、前記伝送エンベロープ検出器は、第２指示信号を生成し、前記受信器は，前記第２指示信号に応答して受信器の通信を遮断することを特徴とする請求項１５に記載の受信装置。
【請求項１７】
前記スレショルド電圧が、前記第１スレショルド電圧から前記第２スレショルド電圧に変更された後、前記伝送エンベロープ検出器に供給される電源が遮断される時、前記伝送エンベロープ検出器は、前記スレショルド電圧を前記第２スレショルド電圧から前記第１スレショルド電圧に復元することを特徴とする請求項１５に記載の受信装置。
【請求項１８】
請求項１５ないし請求項１８のうち何れか一項に記載の受信装置を含むハードディスクドライブ装置。
【請求項１９】
伝送エンベロープ検出器において差動基準信号を制御して通信の許可または遮断を制御する受信装置であって、
通信チャンネルを通じて入力された一対の第１差動入力信号の電圧差が、一対の差動基準信号としての前記差動基準信号の電圧差より大きい場合、第１指示信号を生成する伝送エンベロープ検出器と、
前記第１指示信号に応答して第１制御信号と第２制御信号とを生成するコントローラと、
一対の前記第１差動入力信号を受信し、前記第２制御信号に応答して通信を許可される受信器と、を含み、
前記伝送エンベロープ検出器は、前記第１制御信号に応答して一対の前記差動基準信号の電圧差を増加させることを特徴とする受信装置。
【請求項２０】
前記通信チャンネルを通じて入力された一対の第２差動入力信号の電圧差が、増加した一対の差動基準信号の電圧差より小さい場合、前記伝送エンベロープ検出器は第２指示信号を生成し、前記コントローラは前記第２指示信号に応答して第３制御信号を生成し、前記受信器は前記第３制御信号に応答して通信が遮断されることを特徴とする請求項１９に記載の受信装置。
【請求項２１】
一対の前記差動基準信号の電圧差が増加し、前記伝送エンベロープ検出器に供給される電源が遮断された後、前記伝送エンベロープ検出器は、増加した一対の差動基準信号の電圧差を増加される前の一対の前記差動基準信号の電圧差に復元することを特徴とする請求項１９に記載の受信装置。
【請求項２２】
請求項１９ないし請求項２１のうち何れか一項に記載の受信装置を含むハードディスクドライブ装置。
【請求項２３】
通信チャンネルを通じてシリアル通信する第１装置と第２装置とを含むシリアル通信システムにおいて、前記第２装置は、
前記通信チャンネルを通じて入力された一対の第１差動信号の電圧差が、シリアル通信の許可または遮断を制御する基準となる一対の差動基準信号の電圧差より大きい場合、第１指示信号を生成する伝送エンベロープ検出器と、
前記通信チャンネルを通じて入力された一対の前記第１差動入力信号を受信し、前記第１指示信号に応答して通信が許可される受信器と、を含み、
前記伝送エンベロープ検出器は、前記第１指示信号を生成した後、一対の前記差動基準信号の電圧差を増加させることを特徴とするシリアル通信システム。
【請求項２４】
前記通信チャンネルを通じて入力された一対の第２差動入力信号の電圧差が、増加した一対の差動基準信号の電圧差より小さい場合、前記伝送エンベロープ検出器は、第２指示信号を生成し、前記受信器は、前記第２指示信号に応答して通信が遮断されることを特徴とする請求項２３に記載のシリアル通信システム。
【請求項２５】
通信チャンネルを通じてシリアル通信する第１装置と第２装置とを含むシリアル通信システムにおいて、前記第２装置は、
前記通信チャンネルを通じて入力された一対の第１差動入力信号の電圧差が、シリアル通信の許可または遮断を制御する基準となる差動基準信号の電圧差より大きい場合、第１指示信号を出力する伝送エンベロープ検出器と、
前記第１指示信号に応答して第１制御信号と第２制御信号とを生成するコントローラと、
前記通信チャンネルを通じて入力された一対の前記第１差動入力信号を受信し、前記第２制御信号に応答して通信が許可される受信器と、を含み、
前記伝送エンベロープ検出器は、前記第１制御信号に応答して一対の前記差動基準信号の電圧差を増加させることを特徴とするシリアル通信システム。
【請求項２６】
前記通信チャンネルを通じて入力された一対の第２差動入力信号の電圧差が、増加した前記差動基準信号の電圧差より小さい場合、前記伝送エンベロープ検出器は、第２指示信号を生成し、前記コントローラは、前記第２指示信号に応答して第３制御信号を生成し、前記受信器は、前記第３制御信号に応答して通信が遮断されることを特徴とする請求項２５に記載のシリアル通信システム。
【請求項２７】
前記伝送エンベロープ検出器に供給される電源が遮断された後、前記伝送エンベロープ検出器は、増加した一対の前記差動基準信号の電圧差を増加する前の一対の前記差動基準信号の電圧差に復元することを特徴とする請求項２５に記載のシリアル通信システム。
【請求項２８】
前記シリアル通信システムは、コンピュータシステムを含むことを特徴とする請求項２３ないし２７のうち何れか一項に記載のシリアル通信システム。
【請求項２９】
伝送エンベロープ検出器において差動基準信号を制御して通信の許可または遮断を制御するシリアル通信装置であって、
通信チャンネルを通じて互いにシリアル通信する複数のユニットと、
受信された一対の第１差動入力信号の電圧差が、一対の前記差動基準信号の電圧差より大きい場合、指示信号を生成するために前記複数のユニットのうちの少なくとも一つに配された伝送エンベロープ検出器と、
前記指示信号に応答して一つまたはそれ以上の制御信号を生成するコントローラと、を含み、
前記伝送エンベロープ検出器は、前記一つまたはそれ以上の制御信号に応答して前記差動基準信号の電圧差を増加させることを特徴とするシリアル通信装置。
【請求項３０】
伝送エンベロープ検出器においてスレショルド電圧を制御して通信の許可または遮断を制御するシリアル通信装置であって、
複数の所定のスレショルド電圧を有する伝送エンベロープ検出器を含む第１ユニットと、
前記第１ユニットと第２ユニットとの間のシリアル通信を提供するためにスケルチ状態及びアンスケルチ状態を有する通信チャンネルと、
前記通信チャンネルがアンスケルチ状態であり、前記第１ユニットと前記第２ユニットとの間の前記シリアル通信が初期化された後、前記複数の所定のスレショルド電圧のうち一つまたはそれ以上の電圧を変化させるコントローラと、を含むことを特徴とするシリアル通信装置。
【請求項３１】
前記通信チャンネルのアンスケルチ状態は、前記通信チャンネルを通じて前記伝送エンベロープ検出器によって受信された一対の差動信号の電圧差が、前記伝送エンベロープ検出器の前記複数の所定のスレショルド電圧のうち一対のスレッショルド電圧の差より大きい場合であることを特徴とする請求項３０に記載のシリアル通信装置。
【請求項３２】
前記複数の所定のスレショルド電圧は、上位スレショルド電圧と下位スレショルド電圧とを含むことを特徴とする請求項３１に記載のシリアル通信装置。
【請求項３３】
第１ユニットと第２ユニットとの間の通信チャンネルがアンスケルチ状態であるか否かを決定する段階と、
前記通信チャンネルがアンスケルチ状態である場合、前記第１ユニットと前記第２ユニットとの間のシリアル通信が初期化された後、伝送エンベロープ検出器の一つまたはそれ以上の所定のスレショルド電圧のうち一つの電圧を変更させる段階と、を含むことを特徴とする伝送エンベロープ検出器の一つまたはそれ以上の所定のスレショルド電圧を制御する方法。
【請求項３４】
伝送エンベロープ検出器において、スレショルド電圧を制御して通信の許可または遮断を制御する方法を実行させるためのコンピュータプログラムを記録したコンピュータで読み取り可能な記録媒体であって、
前記スレショルド電圧としての第１スレショルド電圧と受信された入力信号の電圧とを比べる段階と、
前記入力信号の電圧が前記第１スレショルド電圧より大きい時、スレショルド電圧を前記第１スレショルド電圧から第２スレショルド電圧に変更させる段階と、を含む方法を実行させるためのコンピュータプログラムを記録したコンピュータで読み取り可能な記録媒体。
【発明の詳細な説明】
【技術分野】
【０００１】
本発明の一般的発明概念（ｇｅｎｅｒａｌ  ｉｎｖｅｎｔｉｖｅ  ｃｏｎｃｅｐｔ）は、スレショルド電圧制御（ｔｈｒｅｓｈｏｌｄ  ｖｏｌｔａｇｅ  ｃｏｎｔｒｏｌ）に係り、特に、シリアル通信途中に伝送エンベロープ  検出器のスレショルド電圧（ｔｈｒｅｓｈｏｌｄ  ｖｏｌｔａｇｅｓ）を調節する方法と該方法が適用された装置に関する。
【背景技術】
【０００２】
図１は、従来のシリアル通信システムのブロック図である。図１を参照すれば、前記シリアル通信システム１０は、シリアル通信のための通信チャンネル３０を通じて互いに接続された第１装置と第２装置とを含む。前記第１装置は、アナログフロントエンド（Ａｎａｌｏｇ  Ｆｒｏｎｔ  Ｅｎｄ：ＡＦＥ）２０とコントローラ２５とを含み、前記第２装置は、ＡＦＥ４０とコントローラ４５とを含む。
【０００３】
例えば、前記第１装置は、コンピュータのようなホストになることができ、前記第２装置は、ハードディスクドライブのようなデータ保存装置になりうる。
【０００４】
ＡＦＥ２０と４０のそれぞれの送信器２１と４１は、伝送するそれぞれの伝送信号Ｔｘ＿ＤＡＴＡとＴｘ＿ＤＡＴＡ’を受信し、それぞれの差動信号（ｄｉｆｆｅｒｅｎｃｉａｌ  ｓｉｇｎａｌ）ＴｘｐとＴｘｎ、Ｔｘｐ’とＴｘｎ’を通信チャンネル３０を通じて前記ＡＦＥ２０と４０のそれぞれの受信器２７と４７に伝送する。
【０００５】
伝送エンベロープ検出器（ｔｒａｎｓｍｉｓｓｉｏｎ  ｅｎｖｅｌｏｐｅ  ｄｅｔｅｃｔｏｒ）２３と４３は、通信チャンネル３０を通じて受信されたそれぞれの差動信号ＲｘｐとＲｘｎ、Ｒｘｐ’とＲｘｎ’の電圧差と既定のスレショルド電圧の電圧差に基づいて前記通信チャンネル３０の状態がアンスケルチ状態（ｕｎｓｑｕｅｌｃｈ  ｓｔａｔｅ）であるかまたはスケルチ状態（ｓｑｕｅｌｃｈ  ｓｔａｔｅ）であるかを検出（または、判別）した後、該検出結果によるそれぞれの指示信号をそれぞれのコントローラ２５と４５に出力する。
【０００６】
前記通信チャンネル３０の状態が前記アンスケルチ状態である場合、前記第１装置と前記第２装置は、互いにシリアル通信ができる。しかし、前記通信チャンネル３０の状態が前記スケルチ状態である場合、前記第１装置と前記第２装置は、互いにシリアル通信ができない。
【０００７】
スケルチ検出器とも呼ばれるそれぞれの伝送エンベロープ検出器２３と４３は、通信チャンネル３０を通じて入力された差動信号ＲｘｐとＲｘｎ、Ｒｘｐ’とＲｘｎ’の電圧レベルを既定のスレショルド電圧（例えば、スケルチスレショルド電圧）に基づいて感知し、該感知結果に基づいて前記通信チャンネル上の信号（または、データ）が有効信号（または、有効データ）であるかまたはノイズであるかを判断し、該判断結果を出力する機能を有する。
【０００８】
それぞれのコントローラ２５と４５は、前記それぞれの指示信号に応答して、それぞれの受信器２７と４７の通信を許可（イネーブル）させるためのイネーブル信号ＥＮとＥＮ’を出力するかまたはそれぞれの受信器２７と４７をディセーブルさせるためのディセーブル信号ＤＩＳとＤＩＳ’を出力できる。
【０００９】
図２は、通信初期化成功時の信号の波形を表わし、図３は、通信初期化失敗時の信号の波形を表わす。図１と図２とを参照すれば、前記シリアル通信をする通信チャンネル３０を通じて伝送エンベロープ検出器２３に最初に入力された差動信号ＲｘｐとＲｘｎの差ＶｄｉｆｆＲＸが、既定の伝送エンベロープ検出器２３のスレショルド電圧の差ＳＱ＿ＴＨ１より大きい場合（すなわち、通信初期化の成功時）、すなわち、前記通信チャンネル３０上の信号（または、データ）が有効信号（または、有効データ）である場合、言い換えれば、前記通信チャンネル３０の状態がアンスケルチ状態である場合、前記伝送エンベロープ検出器２３は、ハイレベルを有する指示信号を出力する。
【００１０】
前記コントローラ２５は、前記指示信号に応答してイネーブル信号ＥＮを受信器２７に出力し、前記受信器２７は、前記イネーブル信号ＥＮに応答してイネーブルされるので、前記受信器２７は、前記通信チャンネル３０を通じて入力される入力された差動信号ＲｘｐとＲｘｎを受信して処理し、該処理された有効信号（または、有効データ）Ｒｘ＿ＤＡＴＡを他のブロックに出力する。
【００１１】
しかし、図１と図３とを参照すれば、前記シリアル通信をする通信チャンネル３０を通じて伝送エンベロープ検出器２３に最初に入力された差動信号ＲｘｐとＲｘｎの差ＶｄｉｆｆＲＸが、既定の伝送エンベロープ検出器２３のスレショルド電圧の差ＳＱ＿ＴＨ１より小さい場合（すなわち、通信初期化の失敗時）、すなわち、前記通信チャンネル３０上の信号（または、データ）がノイズである場合、言い換えれば、前記通信チャンネル３０の状態がスケルチ状態である場合、前記伝送エンベロープ検出器２３は、ローレベルを有する指示信号を出力する。このとき、前記一度設定された伝送エンベロープ検出器２３のスレショルド電圧は変更できない。
【００１２】
前記コントローラ２５は、前記指示信号に応答してディセーブル信号ＤＩＳを受信器２７に出力し、前記受信器２７は、前記ディセーブル信号ＤＩＳに応答してディセーブルされるので、前記受信器２７は、前記通信チャンネル３０を通じて入力される差動信号ＲｘｐとＲｘｎを受信できない。前述したように、前記伝送エンベロープ検出器２３は、前記通信チャンネル３０を通じて入力されるノイズからＡＦＥ２０を保護できる。
【００１３】
しかし、前記第１装置と前記第２装置が、前記通信チャンネル３０を通じた通信中に既定の伝送エンベロープ検出器２３のスレショルド電圧の差ＳＱ＿ＴＨ１より大きな差を有するノイズが入力される場合、前記ノイズは、そのまま前記第１装置の受信器２７または前記第２装置の受信器４７に入力されうるので、前記第１装置と前記第２装置は損傷を受ける可能性がある。
【００１４】
したがって、前記第１装置と前記第２装置が、通信を始めた後に既定の伝送エンベロープ検出器２３のスレショルド電圧を変更して、前記通信を始めた後に前記既定の伝送エンベロープ検出器２３のスレショルド電圧差より大きな差を有するノイズが入力される場合でも、前記ノイズを遮断できる方法と該方法を使用できる装置とが要求される。
【発明の開示】
【発明が解決しようとする課題】
【００１５】
発明が果たそうとする技術的な課題は、ノイズに対する兔疫性（イミュニティ；ｉｍｍｕｎｉｔｙ）を高めるためにシリアル通信中に伝送エンベロープ検出器のスレショルド電圧を変更できる方法と該方法を使用できる装置とを提供することである。
【課題を解決するための手段】
【００１６】
本発明の一般的発明概念は、伝送エンベロープ検出器のスレショルド電圧を制御する方法と直結される。前記方法は、シリアル通信が始まった後、最初に入力された入力信号の電圧と前記伝送エンベロープ検出器のスレショルド電圧とを比べて、前記入力信号の電圧が前記スレショルド電圧より高い場合、前記スレショルド電圧を増加させることである。
【００１７】
本発明の一般的発明概念についての追加的な観点と有用性（ユーティリティー；ｕｔｉｌｉｔｉｅｓ）は、部分的には以下の記述で説明されることであり、部分的には前記記述から明白であるか、一般的発明概念を実践することによって知りうる。
【００１８】
本発明の一般的発明概念についての前述したもの及び／または他の観点もしくは有用性は、受信された第１入力信号の電圧と第１スレショルド電圧とを比べる段階と、前記第１入力信号の電圧が前記第１スレショルド電圧より高い場合、前記第１スレショルド電圧を第２スレショルド電圧に増加する段階と、を含む伝送エンベロープ検出器のスレショルド電圧を制御する方法を提供することでなされうる。
【００１９】
前記伝送エンベロープ検出器は、前記伝送エンベロープ検出器に供給される電源が遮断された後、前記伝送エンベロープ検出器が前記第２スレショルド電圧を前記第１スレショルド電圧に復元する段階をさらに含みうる。前記伝送エンベロープ検出器は、前記伝送エンベロープ検出器に供給される電源が遮断された後、前記伝送エンベロープ検出器に前記電源が再び供給される時、前記第２スレショルド電圧を前記第１スレショルド電圧に復元する段階をさらに含みうる。
【００２０】
本発明の一般的発明概念についての前述したもの及び／または他の観点及び有用性は、また受信された第１入力信号の電圧が第１スレショルド電圧より大きい場合、前記伝送エンベロープ検出器から前記第１入力信号が有効信号であることを指示する第１指示信号をコントローラに出力する段階と、前記第１指示信号に基づいて前記コントローラから生成された制御信号に応答して前記第１スレショルド電圧を第２スレショルド電圧に前記エンベロープ検出器によって変更する段階と、を含む前記伝送エンベロープ検出器のスレショルド電圧を制御する方法を提供することでなされうる。
【００２１】
前記伝送エンベロープ検出器は、前記伝送エンベロープ検出器に供給される電源が遮断された後、前記伝送エンベロープ検出器が前記第２スレショルド電圧を前記第１スレショルド電圧に復元する段階をさらに含みうる。
【００２２】
本発明の一般的発明概念についての前述したもの及び／または他の観点及び有用性は、また、通信チャンネルを通じて入力された一対の差動入力電圧（ｄｉｆｆｅｒｅｎｔｉａｌ  ｉｎｐｕｔ  ｖｏｌｔａｇｅｓ）の差が、一対の差動スレショルド電圧（ｄｉｆｆｅｒｅｎｔｉａｌ  ｔｈｒｅｓｈｏｌｄ  ｖｏｌｔａｇｅｓ）の差より大きい場合、伝送エンベロープ検出器によって指示信号を生成する段階と、前記指示信号に応答して生成した制御信号に応答して、一対の前記差動スレショルド電圧の差を前記伝送エンベロープ検出器によって増加させる段階と、を含む前記伝送エンベロープ検出器のスレショルド電圧を制御する方法を提供することでなされうる。
【００２３】
本発明の一般的発明概念についての前述したもの及び／または他の観点及び有用性は、また、受信された第１入力信号の電圧が第１スレショルド電圧より高い場合、伝送エンベロープ検出器が、前記第１入力信号が有効信号であることを指示する第１指示信号を前記伝送エンベロープ検出器によって生成する段階と、前記第１指示信号に基づいて生成した電圧制御信号に応答して前記第１スレショルド電圧を第２スレショルド電圧に前記伝送エンベロープ検出器によって変更する段階と、前記第１指示信号に基づいて生成したイネーブル制御信号に応答して受信器の通信が許可される段階と、を含むシリアル通信での信号処理方法を提供することでなされうる。
【００２４】
コントローラは、また、前記第１指示信号に応答して前記電圧制御信号と前記イネーブル制御信号とを生成させうる。
【００２５】
受信された第２入力信号の電圧が前記第２スレショルド電圧より低い場合、前記伝送エンベロープ検出器は、前記第２入力信号がノイズであることを指示する第２指示信号を生成することができ、前記第２指示信号に基づいて生成したディセーブル制御信号に応答して前記受信器の通信は遮断されうる。
【００２６】
前記伝送エンベロープ検出器に供給される電源が遮断された後、前記伝送エンベロープ検出器は、前記第２スレショルド電圧を前記第１スレショルド電圧に復元できる。
【００２７】
本発明の一般的発明概念についての前述した及び／または他の観点及び有用性は、また、受信された第１入力信号の電圧が第１スレショルド電圧より大きい場合、第１指示信号を生成する伝送エンベロープ検出器及び前記第１入力信号を受信し、前記第１信号に応答することにより通信が許可される受信器を含む受信装置を提供することでなされうる。前記伝送エンベロープ検出器は、前記第１指示信号を生成した後、前記第１スレショルド電圧を第２スレショルド電圧に変更する。
【００２８】
第２入力信号の電圧が前記第２スレショルド電圧より低い場合、前記伝送エンベロープ検出器は、第２指示信号を生成することができ、前記受信器は、第２指示信号に応答して通信を遮断される。
【００２９】
前記第１スレショルド電圧が前記第２スレショルド電圧に変更された後、前記伝送エンベロープ検出器に供給される電源が遮断される時、前記伝送エンベロープ検出器は、前記第２スレショルド電圧を前記第１スレショルド電圧に復元できる。ハードディスクドライブは、前記の受信装置を含みうる。
【００３０】
本発明の一般的発明概念についての前述したもの及び／または他の観点及び有用性は、また、通信チャンネルを通じて入力された一対の第１差動入力信号（ｆｉｒｓｔ  ｄｉｆｆｅｒｅｎｔｉａｌ  ｓｉｇｎａｌｓ）の電圧差が、一対の差動基準信号（ｄｉｆｆｅｒｅｎｔｉａｌ  ｒｅｆｅｒｅｎｃｅ  ｓｉｇｎａｌｓ）の電圧差より大きい場合、第１指示信号を生成する伝送エンベロープ検出器と、前記第１指示信号に応答して第１制御信号と第２制御信号とを生成するコントローラと、一対の前記第１差動入力信号を受信し、前記第２制御信号に応答して通信が許可される受信器と、を含む受信装置を提供することでなされうる。前記伝送エンベロープ検出器は、前記第１制御信号に応答して一対の前記差動基準信号の電圧差を増加させる。
【００３１】
前記通信チャンネルを通じて入力された一対の第２差動入力信号（ｓｅｃｏｎｄ  ｄｉｆｆｅｒｅｎｔｉａｌ  ｉｎｐｕｔ  ｓｉｇｎａｌｓ）の電圧差が、増加した一対の差動基準信号の電圧差より小さい場合、前記伝送エンベロープ検出器は、第２指示信号を生成させることができ、前記コントローラは、前記第２指示信号に応答して第３制御信号を生成させることができ、前記受信器は、前記第３制御信号に応答して通信が遮断されうる。
【００３２】
本発明の一般的発明概念についての前述したもの及び／または他の観点及び有用性は、また、通信チャンネルを通じてシリアル通信する第１装置と第２装置とを含むシリアル通信システムを提供することでなされうる。
【００３３】
前記第２装置は、前記通信チャンネルを通じて入力された一対の第１差動信号（ｆｉｒｓｔ  ｄｉｆｆｅｒｅｎｔｉａｌ  ｓｉｇｎａｌｓ）の電圧差が、一対の差動基準信号の電圧差より大きい場合、第１指示信号を生成させる伝送エンベロープ検出器と、前記通信チャンネルを通じて入力された前記第１差動入力信号を受信し、前記第１指示信号に応答して通信が許可される受信器と、を含み、前記伝送エンベロープ検出器は、前記第１指示信号を生成させた後、前記差動基準信号の電圧差を増加させる。
【００３４】
前記通信チャンネルを通じて入力された一対の第２差動入力信号の電圧差が、増加した一対の差動基準信号の電圧差より小さい場合、前記伝送エンベロープ検出器は、第２指示信号を生成させることができ、前記受信器は、前記第２指示信号に応答して通信が遮断されうる。
【００３５】
本発明の一般的発明概念についての前述したもの及び／または他の観点及び有用性は、また、通信チャンネルを通じてシリアル通信する第１装置と第２装置とを含むシリアル通信装置を提供することでなされうる。前記第２装置は、前記通信チャンネルを通じて入力された一対の第１差動信号の電圧差が、一対の差動基準信号の電圧差より大きい場合、第１指示信号を出力する伝送エンベロープ検出器と、前記第１指示信号に応答して第１制御信号と第２制御信号とを生成させるコントローラと、前記通信チャンネルを通じて入力された前記第１差動入力信号を受信し、前記第２制御信号に応答して通信が許可される受信器と、を含み、前記伝送エンベロープ検出器は、前記第１制御信号に応答して一対の前記差動基準信号の電圧差を増加させる。
【００３６】
前記通信チャンネルを通じて入力された一対の第２差動入力信号の電圧差が、増加した一対の差動基準信号の電圧差より小さい場合、前記伝送エンベロープ検出器は、第２指示信号を生成させることができ、前記コントローラは、前記第２指示信号に応答して第３制御信号を生成させることができ、前記受信器は、前記第３制御信号に応答して通信が遮断されうる。
【００３７】
前記伝送エンベロープ検出器に供給される電源が遮断された後、前記伝送エンベロープ検出器は、増加した一対の差動基準信号の電圧差を一対の増加される前の前記差動基準信号の電圧差に復元できる。前記シリアル通信システムは、コンピュータまたは移動通信端末機であり得る。
【００３８】
本発明の一般的発明概念についての前述したもの及び／または他の観点及び有用性は、また、通信チャンネルを通じて互いにシリアル通信する複数のユニット（ｕｎｉｔｓ）と、
前記伝送エンベロープ検出器によって受信された一対の第１差動信号の電圧差が、一対の差動基準信号の電圧差より大きい場合、指示信号を生成するために前記複数のユニットのうちの少なくとも一つに配置された伝送エンベロープ検出器と、前記指示信号に応答して一つ以上の制御信号を生成するコントローラと、を含むシリアル通信装置を提供することでなされ、前記伝送エンベロープ検出器は、前記一つ以上の制御信号に応答して一対の前記差動基準信号の電圧差を増加させる。
【００３９】
本発明の一般的発明概念についての前述したもの及び／または他の観点及び有用性は、また複数の所定のスレショルド電圧を有する伝送エンベロープ検出器を含む第１ユニットと、前記第１ユニットと第２ユニットとの間のシリアル通信を提供するためにスケルチ状態及びアンスケルチ状態を有する通信チャンネルと、前記通信チャンネルがアンスケルチ状態であり、前記第１ユニットと前記第２ユニットとの間の前記シリアル通信が初期化された後に前記複数の所定のスレショルド電圧のうち一つ以上の電圧を変化させるコントローラと、を含むシリアル通信装置を提供することでなされうる。
【００４０】
本発明の一般的発明概念についての前述した及び／または他の観点及び有用性は、また、第１ユニットと第２ユニットとの間の通信チャンネルがアンスケルチ状態であるか否かを決定する段階と、前記通信チャンネルがアンスケルチ状態である場合、前記第１ユニットと前記第２ユニットとの間のシリアル通信が初期化された後、伝送エンベロープ検出器の一つ以上の所定のスレショルド電圧のうち一つの電圧を変更させる段階と、を含む前記伝送エンベロープ検出器の一つ以上の所定のスレショルド電圧を制御する方法を提供することでなされうる。
【００４１】
本発明の一般的発明概念についての前述したもの及び／または他の観点及び有用性は、また、第１スレショルド電圧と受信された入力信号の電圧とを比べる段階と、前記入力信号の電圧が前記第１スレショルド電圧より大きい時、前記第１スレショルド電圧を第２スレショルド電圧に変更させる段階と、を含む方法を実行させるためにコンピュータプログラムを記録したコンピュータで読み取り可能な記録媒体を提供することでなされうる。
【発明の効果】
【００４２】
本発明による装置と方法は、シリアル通信を始めた後、スレショルド電圧またはスレショルド電圧差を増加させうるので、前記装置に入力されるノイズに対する免疫力を増加させうる。
【発明を実施するための最良の形態】
【００４３】
以下、添付した図面を参照して、本発明を詳しく説明する。
【００４４】
図４は、本発明の一般的発明概念の一実施形態によるシリアル通信システムのブロック図である。図４を参照すれば、前記シリアル通信システム１００は、シリアル通信のための通信チャンネル３０を通じて互いに接続された第１装置と第２装置とを含む。前記第１装置は、スケルチ検出器のような伝送エンベロープ検出器１１１を含むＡＦＥ１１０、及びコントローラ１１３を含み、前記第２装置は、スケルチ検出器のような伝送エンベロープ検出器１３１を含むＡＦＥ１３０、及びコントローラ１３３を含む。
【００４５】
実施形態により、前記ＡＦＥ１１０は、前記コントローラ１１３を含むことができ、前記ＡＦＥ１３０は、前記コントローラ１３３を含みうる。また、実施形態により、前記伝送エンベロープ検出器１１１は、前記コントローラ１１３を含むことができ、前記伝送エンベロープ検出器１３１は、前記コントローラ１３３を含みうる。
【００４６】
前記第１装置と前記第２装置とのうち何れか一つがホスト（例えば、マスタ）として使われる場合、前記第１装置と前記第２装置とのうち他の一つはスレーブとして使われうる。例えば、前記第１装置がハードディスクドライブとして使われる場合、前記第２装置はコンピュータであり得る。
【００４７】
図６は、本発明の一般的発明概念の実施形態による伝送エンベロープ検出器のスレショルド電圧の制御方法の一例を説明するための信号の波形図であり、図７は、本発明の一般的発明概念の実施形態による伝送エンベロープ検出器のスレショルド電圧の制御方法の一例を表わすフローチャートである。スレショルド電圧は、入力信号の通信を遮断するか否かの制御（スケルチ制御）のために伝送エンベロープ検出器において当該入力信号の電圧と大小比較される基準となる電圧である。
【００４８】
図４、図６、及び図７を参照して、本発明の一般的発明概念の実施形態による前記伝送エンベロープ検出器のスレショルド電圧の制御方法は、次のように説明できる。
【００４９】
前記第１装置と前記第２装置が、シリアル通信のための通信チャンネル３０を通じて互いに接続され、前記第１装置と前記第２装置とに供給される電源がオン（ｏｎ）になった後（Ｓ１００）、スケルチ検出器（ｓｑｕｅｌｃｈ  ｄｅｔｅｃｔｏｒ）とも呼ばれる伝送エンベロープ検出器（ｔｒａｎｓｍｉｓｓｉｏｎ  ｅｎｖｅｌｏｐｅ  ｄｅｔｅｃｔｏｒ）１１１は、前記通信チャンネル３０を通じて最初に入力される差動信号ＲｘｐとＲｘｎを受信し（Ｓ１０１）、前記受信された差動信号ＲｘｐとＲｘｎの差ＶｄｉｆｆＲｘが、最初に設定された差動基準信号（または、差動スレショルド電圧）の差ＳＱ＿ＴＨ１より大きいか、または小さいかを判断する（Ｓ１０３）。
【００５０】
例えば、前記第１装置と前記第２装置が、コンピュータと補助記憶用ドライブとの接続方式であるＳＡＴＡ（Ｓｅｒｉａｌ  Ａｄｖａｎｃｅｄ  Ｔｅｃｈｎｏｌｏｇｙ  Ａｔｔａｃｈｍｅｎｔ）方式によってシリアル通信をする場合、前記最初に入力される差動信号ＲｘｐとＲｘｎは、通信を制御するための制御信号であるＯＯＢ信号（Ｏｕｔ−Ｏｆ−Ｂａｎｄ  ｓｉｇｎａｌｓ）であり得る。ここで、前記最初に設定された差動基準信号（または、差動スレショルド電圧）の差ＳＱ＿ＴＨ１は、第１上位スレショルド電圧（ｕｐｐｅｒ  ｔｈｒｅｓｈｏｌｄ  ｖｏｌｔａｇｅ；ＴＨＵ１）と第１下位スレショルド電圧（ｌｏｗｅｒ  ｔｈｒｅｓｈｏｌｄ  ｖｏｌｔａｇｅ；ＴＨＬ１）との差であり得る。
【００５１】
前記受信された差動信号ＲｘｐとＲｘｎの差ＶｄｉｆｆＲｘが、前記最初に設定された差動基準信号の電圧差（ＳＱ＿ＴＨ１＝ＴＨＵ１−ＴＨＬ１）より小さい場合（このとき、前記通信チャンネル３０の状態は、スケルチ状態にあると言える）、受信された差動信号ＲｘｐとＲｘｎは、ノイズであるか前記ノイズが含まれた差動信号である可能性が大きいので、前記伝送エンベロープ検出器１１１は、第１レベル（例えば、ローレベル）を有する指示信号ＳＱをコントローラ１１３に出力する。
【００５２】
前記コントローラ１１３は、前記指示信号ＳＱに応答してディセーブル信号ＤＩＳを受信器２７に出力するので、前記受信器２７は、受信された差動信号ＲｘｐとＲｘｎを受信および処理しない。したがって、前記第１装置と前記第２装置は、通信（例えば、シリアル通信）をすることができない（すなわち、通信初期化は失敗、Ｓ１０５）。前記処理とは、前記受信された差動信号ＲｘｐとＲｘｎに基づいて生成した受信信号Ｒｘ＿ＤＡＴＡを他のブロック（例えば、データプロセッサ、図示せず）に出力する段階を含みうる。
【００５３】
しかし、前記受信された差動信号ＲｘｐとＲｘｎの差ＶｄｉｆｆＲｘが、前記最初に設定された差動基準信号の電圧差ＳＱ＿ＴＨ１より大きい場合（このとき、前記通信チャンネル３０の状態は、アンスケルチ状態にあると言える）、前記受信された差動信号ＲｘｐとＲｘｎは、有効信号（または、有効データ）である可能性が大きいので、前記伝送エンベロープ検出器１１１は、第２レベル（例えば、ハイレベル）を有する指示信号ＵＳＱをコントローラ１１３に出力する。
【００５４】
前記コントローラ１１３は、前記指示信号ＵＳＱに応答してイネーブル信号ＥＮを前記受信器２７に出力するので、前記受信器２７は、前記受信された差動信号ＲｘｐとＲｘｎを受信して処理する。したがって、前記第１装置と前記第２装置は、通信（例えば、シリアル通信）を始める（すなわち、通信初期化は成功、Ｓ１０７）。前記ディセーブル信号ＤＩＳは、第１状態を有する信号であり、前記イネーブル信号ＥＮは、第２状態を有する信号であり、その反対であり得る。
【００５５】
また、前記受信された差動信号ＲｘｐとＲｘｎの差ＶｄｉｆｆＲｘが、前記最初に設定された差動基準信号の電圧差ＳＱ＿ＴＨ１より大きい場合、前記コントローラ１１３は、前記指示信号ＵＳＱに応答して第１時点Ｔ１で電圧制御信号ＣＴＲＬを前記伝送エンベロープ検出器１１１に出力できる。
【００５６】
前記伝送エンベロープ検出器１１１は、前記電圧制御信号ＣＴＲＬに応答して前記最初に設定された差動基準信号の電圧差をＳＱ＿ＴＨ１から（ＳＱ＿ＴＨ２＝ＴＨＵ２−ＴＨＬ２）に増加させる（すなわち、ＳＱ＿ＴＨ１→ＳＱ＿ＴＨ２）（Ｓ１０９）。例えば、前記伝送エンベロープ検出器１１１は、第１上位スレショルド電圧ＴＨＵ１を第２上位スレショルド電圧ＴＨＵ２に増加させて第１下位スレショルド電圧ＴＨＬ１を第２下位スレショルド電圧ＴＨＬ２に低める。
【００５７】
したがって、本発明の一般的発明概念の実施形態による前記伝送エンベロープ検出器１１１は、通信（例えば、シリアル通信）途中に前記最初に設定された差動基準信号の電圧差ＳＱ＿ＴＨ１より大きい電圧差を有するノイズが入力される場合、前記伝送エンベロープ検出器１１１は、第１レベル（例えば、ローレベル）を有する指示信号ＳＱを前記コントローラ１１３に出力できる。
【００５８】
したがって、前記コントローラ１１３は、前記指示信号ＳＱに応答してディセーブル信号ＤＩＳを前記受信器２７に出力するので、前記受信器２７は、前記ディセーブル信号ＤＩＳに応答して通信が遮断（ディセーブル）される。したがって、前記受信器２７は、通信途中に入力されるノイズを遮断できる効果がある。
【００５９】
しかし、図１に示された従来の伝送エンベロープ検出器２３は、最初に設定された差動基準信号の電圧差ＳＱ＿ＴＨ１より大きい電圧差を有するノイズが通信チャンネル３０を通じて入力される場合でも、前記受信器２７をディセーブルさせることができない。したがって、前記受信器２７は、前記ノイズの影響をそのまま受ける。
【００６０】
前記伝送エンベロープ検出器１１１に供給される電源ＶＤＤが第２時点Ｔ２で遮断される時（Ｓ１１１）、前記伝送エンベロープ検出器１１１は、増加した差動基準信号の電圧差ＳＱ＿ＴＨ２を最初に設定された差動基準信号の電圧差ＳＱ＿ＴＨ１に復元できる（Ｓ１１３）。また、前記伝送エンベロープ検出器１１１に供給される電源ＶＤＤが第３時点Ｔ３で遮断される時（Ｓ１１１）、前記伝送エンベロープ検出器１１１は、前記電源ＶＤＤが再び供給される第２時点Ｔ２で増加した差動基準信号の電圧差ＳＱ＿ＴＨ２を最初に設定された差動基準信号の電圧差ＳＱ＿ＴＨ１に復元できる（Ｓ１１３）。
【００６１】
そして、前記伝送エンベロープ検出器１１１は、Ｓ１０１段階ないしＳ１１３段階を実行しながら、差動基準信号の電圧差を増加させうる（Ｓ１０９）。したがって、本発明の一般的発明概念の実施形態による伝送エンベロープ検出器１１１は、通信途中に最初に設定された差動基準信号の電圧差ＳＱ＿ＴＨ１より大きい電圧差を有するノイズが受信器２７に入力されることを防止するために前記差動基準信号の電圧差を適応的に増加（すなわち、ＳＱ＿ＴＨ１→ＳＱ＿ＴＨ２）させうる。
【００６２】
伝送エンベロープ検出器１３１の動作とコントローラ１３３の動作は、対応するそれぞれの伝送エンベロープ検出器１１１の動作とコントローラ１１３の動作と実質的に同一なので、前記伝送エンベロープ検出器１３１の動作と前記コントローラ１３３の動作についての説明は省略する。また、各信号ＳＱ’、ＵＳＱ’、ＣＴＲＬ’、ＥＮ’、及びＤＩＳ’の機能は、各信号ＳＱ、ＵＳＱ、ＣＴＲＬ、ＥＮ、及びＤＩＳの機能と実質的に同一なので、これらについての説明も省略する。
【００６３】
図５は、本発明の一般的発明概念の実施形態による伝送エンベロープ検出器と受信器とを含むブロック図である。図５に示されたスケルチ検出回路のような伝送エンベロープ検出回路２１１は、受信器２７の差動基準信号の電圧差ＳＱ＿ＴＨ１を直接制御できる。すなわち、伝送エンベロープ検出回路２１１は、図４に示された伝送エンベロープ検出器２１１とコントローラ１１３との機能を同時に実行しうる。
【００６４】
図５ないし図７を参照して、本発明の一般的発明概念の実施形態による伝送エンベロープ検出回路２１１の動作は、以下のように説明できる。前記伝送エンベロープ検出回路２１１は、通信チャンネル３０を通じて最初に入力される差動信号ＲｘｐとＲｘｎを受信し（Ｓ１０１）、該受信された差動信号ＲｘｐとＲｘｎの電圧差ＶｄｉｆｆＲｘが、最初に設定された差動基準信号の電圧差ＳＱ＿ＴＨ１より大きいかまたは小さいかを判断する（Ｓ１０３）。
【００６５】
受信された差動信号ＲｘｐとＲｘｎの電圧差ＶｄｉｆｆＲｘが、前記最初に設定された差動基準信号の電圧差ＳＱ＿ＴＨ１より小さい場合、前記伝送エンベロープ検出回路２１１は、ディセーブル信号ＤＩＳを前記受信器２７に出力するので、前記受信器２７は、受信された差動信号ＲｘｐとＲｘｎを受信および処理しない（Ｓ１０５）。
【００６６】
しかし、受信された差動信号ＲｘｐとＲｘｎの電圧差ＶｄｉｆｆＲｘが、最初に設定された差動基準信号の電圧差ＳＱ＿ＴＨ１より大きい場合、前記伝送エンベロープ検出回路２１１は、イネーブル信号ＥＮを前記受信器２７に出力するので、前記受信器２７は、前記受信された差動信号ＲｘｐとＲｘｎを受信して処理できる（Ｓ１０７）。
【００６７】
そして、通信途中に第１時点Ｔ１で、前記伝送エンベロープ検出回路２１１は、最初に設定された前記差動基準信号の電圧差をＳＱ＿ＴＨ１からＳＱ＿ＴＨ２に増加させる（Ｓ１０９）。前記差動基準信号の電圧差は、差動信号の電圧差より小さいことがある。例えば、前記差動基準信号の電圧差は、ＯＯＢ信号の４０〜５０％まで適応的に増加させうるが、本発明の一般的発明概念が前記の数値に限定されるものではない。例えば、前記伝送エンベロープ検出回路２１１は、第１上位スレショルド電圧ＴＨＵ１を第２上位スレショルド電圧ＴＨＵ２に増加させて第１下位スレショルド電圧ＴＨＬ１を第２下位スレショルド電圧ＴＨＬ２に低める。
【００６８】
しかし、通信途中に前記受信された差動信号ＲｘｐとＲｘｎの差ＶｄｉｆｆＲｘが、増加した差動信号の電圧差ＳＱ＿ＴＨ２より小さくなる場合（例えば、ノイズを生成した場合）、前記伝送エンベロープ検出回路２１１は、ディセーブル信号ＤＩＳを前記受信器２７に出力するので、前記受信器２１３は、ディセーブルされる（Ｓ１０５）。
【００６９】
したがって、本発明の一般的発明概念の実施形態による前記伝送エンベロープ検出回路２１１は、通信途中に入力されるノイズの影響を遮断できる。
【００７０】
そして、シリアルに入力された差動信号ＲｘｐとＲｘｎの電圧差ＶｄｉｆｆＲｘが、再び増加した差動信号の電圧差ＳＱ＿ＴＨ２より大きくなる場合、前記伝送エンベベロープ検出回路２１１は、イネーブル信号ＥＮを前記受信器２７に出力するので、イネーブルされた前記受信器２７は、前記通信チャンネル３０を通じて入力される前記差動信号ＲｘｐとＲｘｎを受信して処理し、該処理結果による信号Ｒｘ＿ＤＡＴＡを他のブロック（例えば、データプロセッサ、図示せず）に出力できる。
【００７１】
また、前記伝送エンベロープ検出回路２１１に供給される電源ＶＤＤが第２時点Ｔ２で遮断される時（Ｓ１１１）、前記伝送エンベロープ検出回路２１１は、増加した差動基準信号の電圧差ＳＱ＿ＴＨ２を最初に設定された前記差動基準信号の電圧差ＳＱ＿ＴＨ１に復元（すなわち、ＳＱ＿ＴＨ２→ＳＱ＿ＴＨ１）できる（Ｓ１１３）。
【００７２】
また、前記伝送エンベロープ検出回路２１１に供給される電源ＶＤＤが第３時点Ｔ３で遮断される時（Ｓ１１１）、前記伝送エンベロープ検出回路２１１は、前記電源ＶＤＤが再び供給される第２時点Ｔ２で増加した差動基準信号の電圧差ＳＱ＿ＴＨ２を最初に設定された前記差動基準信号の電圧差ＳＱ＿ＴＨ１に復元（すなわち、ＳＱ＿ＴＨ２→ＳＱ＿ＴＨ１）できる（Ｓ１１３）。そして、前記伝送エンベロープ検出回路２１１は、Ｓ１０１段階ないしＳ１１３段階を実行しながら差動基準信号の電圧差を増加（すなわち、ＳＱ＿ＴＨ１→ＳＱ＿ＴＨ２）させうる。
【００７３】
本発明の一般的発明概念の実施形態による伝送エンベロープ検出器１１１、１３３、または伝送エンベロープ検出回路２１１は、通信途中に供給される電源ＶＤＤと差動入力信号の電圧差に基づいて差動基準信号の電圧差を変更（すなわち、ＳＱ＿ＴＨ１⇔ＳＱ＿ＴＨ２）できる。
【００７４】
本発明の一般的発明概念の実施形態による伝送エンベロープ検出器１１１、１３３、または伝送エンベロープ検出回路２１１は、前記差動基準信号の電圧差のみを変更するだけではなく、第１上位スレショルド電圧ＴＨＵ１と第２上位スレショルド電圧ＴＨＵ２との間での変更（ＴＨＵ１⇔ＴＨＵ２）または第１下位スレショルド電圧ＴＨＬ１と第２下位スレショルド電圧ＴＨＬ２との間での変更（ＴＨＬ１⇔ＴＨＬ２）を実行しうる。
【００７５】
シリアル通信システム１００は、第１装置と第２装置とが通信チャンネルを通じてシリアル通信をするすべてのシステムに適用可能である。例えば、シリアル通信システム１００は、コンピュータ、移動通信端末機、ＰＤＡなどにも適用可能である。
【００７６】
本発明は、図面に示された一実施形態を参照して説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決まるべきである。
【産業上の利用可能性】
【００７７】
本発明の実施形態による装置と方法は、伝送エンベロープ検出器、またはシリアル通信装置関連の技術分野で使われうる。
【図面の簡単な説明】
【００７８】
本発明の詳細な説明で引用される図面をより十分に理解するために、各図面の簡単な説明が提供される。
【図１】従来のシリアル通信システムを表わすブロック図である。
【図２】通信初期化成功時の信号の波形を表わす図面である。
【図３】通信初期化失敗時の信号の波形を表わす図面である。
【図４】本発明の実施形態によるシリアル通信システムのブロック図である。
【図５】本発明の実施形態による伝送エンベロープ検出器と受信器とを含むブロック図である。
【図６】本発明の実施形態による伝送エンベロープ検出器のスレショルド電圧の制御方法の一例を説明するための信号の波形図である。
【図７】本発明の実施形態による伝送エンベロープ検出器のスレショルド電圧の制御方法の一例を表わすフローチャートである。
【符号の説明】
【００７９】
３０  チャンネル、
１００  シリアル通信システム、
１１１、１３１  伝送エンベロープ検出器、
１１３、１３３  コントローラ。
【図１】
2008187717.tif 000003
【図２】
2008187717.tif 000004
【図３】
2008187717.tif 000005
【図４】
2008187717.tif 000006
【図５】
2008187717.tif 000007
【図６】
2008187717.tif 000008
【図７】
2008187717.tif 000009